(57)【要約】      （修正有）【課題】髪の房における支持又は接触を必要とせずに、所望の回転方向において、手によって簡易パルスが与えられるとき、ハンドルの軸の周りの回転動作が設定される整髪用装置を提供する。【解決手段】ハンドル７に配置された角加速度計１によって制御される電動回転部８を含む整髪用装置に関し、加速度計１は、使用中に、ハンドル７の長手方向軸の周りで発生した回転パルスを検出し、所望の方向にモータを起動させるための信号を送信する。【選択図】図６
0003204943.tif 000002
【実用新案登録請求の範囲】
【請求項１】
ハンドルに配置された角加速度計によって制御される電動回転部を含み、
前記の加速度計は、使用中に、前記ハンドルの長手方向軸の周りで発生した回転パルスを検出し、かつ、所望の方向にモータを起動させるための信号を送信する、
整髪用装置。
【請求項２】
前記の加速度計は、前記ハンドルに配置されたスイッチによって起動及び停止され得る、請求項１に記載の整髪用装置。
【請求項３】
前記の加速度計は、
回転軸上で自在に関節連結されたフライホイールと、
使用中に、センサに対する前記フライホイールの回転角度を検出するマイクロコントローラを含む電気回路に接続された一対のセンサ及び送信器と、を含み、
前記マイクロコントローラは、使用中に、前記送信器と前記センサとの間の信号を計算し、かつ、所望の回転方向に前記ハンドルにおけるユーザによってパルスが与えられる間、回転方向を検出し、そして、前記パルスによって生成された回転角度が予めプログラムされた角度を超える場合、所望の方向におけるモータに対して起動信号を送信する、請求項１又は２に記載の整髪用装置。
【請求項４】
前記モータは、前記整髪用装置の回転部に配置される、請求項１〜３のいずれか一項に記載の整髪用装置。
【請求項５】
前記整髪用装置は、回転ブラシであり、好ましくは、回転ブロワブラシ又はローラー巻き器である、請求項１〜４のいずれか一項に記載の整髪用装置。
【考案の詳細な説明】
【技術分野】
【０００１】
本考案は、毛髪との接触を必要とすることなく、装置のハンドルの回転軸の周りに与えられた手動のパルスによって引き起こされる、前記装置を回転するための機構を含むヘアスタイリング装置に関する。
【背景技術】
【０００２】
軸の周りにおける回転を利用する整髪用装置（ｈａｉｒ−ｄｒｅｓｓｉｎｇ  ｄｅｖｉｃｅｓ）が、当業者によって公知である。これらは、例えばブロワを有する、あるいは、有さない回転ブラシ、カーラー巻き器（ｃｕｒｌｅｒ  ｗｉｎｄｅｒｓ）又はカーリングアイロンなどのヘアブラシのさまざまな形態に関する。
【０００３】
これら装置の全ては、所望の回転方向にスイッチを押したままにしながら、方向に作用し、かつ、時には回転速度に作用することを可能にするスイッチを備える。このようなスイッチは、整髪対象の人の周りで動くことができる美容師にとって比較的簡単に使用できるが、装置の使用は、特に整髪動作を行っているときに両手がふさがれてしまう場合、装置において同じ視野角を有さない個々のユーザにとって直感でわかるものではない。
【０００４】
従って、装置を回転するように設定するために、所望の回転方向にハンドル上の手首と共に与えられた簡易パルスによって回転するよう設定され得る装置の開発に関心があった。
【０００５】
欧州特許第２３６５７６４Ａ１号明細書は、装置のハンドルにおけるパルスによる電動回転動作で設定され得る整髪用装置を開示している。当該明細書で開示される機構では、パルスとして毛髪における牽引力を利用し、回転方向を決定する。髪の房（ｌｏｃｋ  ｏｆ  ｈａｉｒ）によって提供される抵抗は、機構に整髪用装置を回転するよう設定させる動作を行わせる。例えば、髪の房の根本から先端に向かって開始する、髪の房に沿った装置の動きを検出し、反対方向の装置の回転を引き起こす。この装置は、角加速度計を備えていないが、牽引力検出器を有する。
【０００６】
本考案は、髪の房における支持又は接触を必要とせずに、所望の回転方向において、手によって簡易パルスが与えられるとき、ハンドルの軸の周りの回転動作に設定され得る整髪用装置を開示している。
【考案の概要】
【０００７】
本考案は、ハンドルに配置された角加速度計によって制御される電動回転部を含む整髪用装置を開示している。前記の加速度計は、使用中に、前記ハンドルの長手方向軸の周りで発生した回転パルスを検出し、所望の方向にモータを起動させるための信号を送信する。
【０００８】
本考案は、以下の特徴の少なくとも１つ、あるいは、適切な組み合わせを含む：加速度計は、ハンドルに配置されたスイッチによって、起動及び停止されることができ；加速度計は、回転軸上で自在に関節連結されたフライホイールと、使用中に、センサに対するフライホイールの回転角度を検出するマイクロコントローラを含む電気回路に接続された一対のセンサ及び送信器とを含み；前記マイクロコントローラは、使用中に、送信器とセンサとの間の信号を計算し（ｃｏｕｎｔ）、かつ、所望の回転方向においてユーザによってパルスがハンドルに与えられる間、所望の回転を検出し、そして、パルスによって生成された回転角度が予めプログラムされた角度を超える場合、所望の方向におけるモータに対して起動信号を送信し；前記モータは、前記整髪用装置の回転部に配置され；整髪用装置は、回転ブラシであり、好ましくは、回転ブロワブラシ又はローラー巻き器（ｒｏｌｌｅｒ  ｗｉｎｄｅｒ）である。
【図面の簡単な説明】
【０００９】
【図１】図１は、送信器及びセンサと共に立体に図示された角加速度計を示す。
【図２】図２は、送信器及びセンサを有する角加速度計の詳細な立体図を示す。
【図３】図３は、加速度計のフライホイールの回転軸に垂直な正面図を示す。可能な平衡手段（ｅｑｕｉｌｉｂｒａｔｉｏｎ  ｍｅａｎｓ）は任意のものであり、最初の３つの図には示されていない。
【図４】図４は、平衡戻しばね（ｅｑｕｉｌｉｂｒｉｕｍ  ｒｅｔｕｒｎ  ｓｐｒｉｎｇ）を有する代替的な角加速度計を示し、電磁気非接触起動を示す。
【図５】図５は、平衡戻しばねを有する代替的な角加速度計を示し、純粋な機械接触（ｐｕｒｅｌｙ  ｍｅｃｈａｎｉｃａｌ  ｃｏｎｔａｃｔ）による起動を示す。
【図６】図６は、角加速度計を含む回転ブロワブラシの形態における本考案に従った第１の整髪用装置を示す。大きな黒い矢印は、ブラシを固定して回転するためにハンドルに与えられ得るパルスを示す。
【図７】図７は、角加速度計を含むローラー巻き器の形態における本考案に従った第２の整髪用装置を示す。大きな黒い矢印は、ブラシを回転するよう設定するためにハンドルに与えられ得るパルスを示す。
【図８】図８は、整髪用装置のハンドルに設けられる電子パルス検出回路の概略図である。
【図９】図９は、その外縁に穴を備えるフライホイールを介して発光するＬＥＤを含む本考案の一実施形態に従った回路の詳細な図である。この検出機構は、回転方向センサとして製品に搭載される。内部マイクロコントローラは、トランシーバ間を通る穴の数を計算し、また、一対のセンサを介して回転方向を検出する。手首の動作によって生成された角度が予めプログラムされた角度よりも大きい場合、マイクロコントローラは、適切な方向にモータを起動させるために信号を生成する。本実施形態において、装置は、ユーザがボタンを解除すると停止する。
【考案を実施するための形態】
【００１０】
本考案は、例えば、回転ブロワブラシ９又はカーラー巻き器１０といった、回転するよう設定する必要がある整髪用装置を開示する。そのような装置は、ハンドル７に概略的に配置されたモータを常に備えるが、空間的制約のために、それを整髪用装置の回転シリンダに配置するのが有利であろう。
【００１１】
そのような装置の回転方向を決定するために、ハンドルは、通常、回転シリンダの回転方向に作用するのを可能にする、双方向スイッチと共に設けられる。美容師は作られる髪型を全体的に眺めるので、美容師にとって、この種のスイッチは使用し易い。このことは、通常、鏡の前にいて、当該スイッチを常に見ることができず、目に見えるときには、それを逆さに（ｂａｃｋｗａｒｄｓ）見ることになる個々のユーザには当てはまらない。
【００１２】
本考案は、角加速度計１を起動又は停止するように、双方向スイッチを簡易な「オン／オフ」スイッチ１３と置き換えることによって、このような状況を解決して、所望の回転方向における手首の簡易パルスを介して、ユーザが希望した回転方向にモータを起動させることを可能にする。これを行うために、ユーザは、ハンドル７を見る必要はないが、所望の方向に、簡易的かつ直感的にパルスを提供する。シリンダの回転を停止するために、ユーザは再度スイッチを作動させる。
【００１３】
この動作に対する一代替手段は、シリンダの回転時に、例えばプッシュボタンといったスイッチを維持することである。スイッチが解除されると、モータは回転を止め、角加速度計１は停止される。
【００１４】
角度又はレートジャイロ加速度計（ｒａｔｅ  ｇｙｒｏ  ａｃｃｅｌｅｒｏｍｅｔｅｒｓ）は、当業者に公知であり、通常、慣性のみの原理に作用するか、あるいは、均衡に向かう戻し力（ｒｅｔｕｒｎ  ｆｏｒｃｅ）と共に作用する。図１及び図５は、全て同様の原理に基づく種々の加速度計を示している。整髪用装置のハンドル７の軸は、通常、床に対して平行な構成要素を含むので、フライホイール２における偏心マス（ｏｆｆ−ｃｅｎｔｅｒｅｄ  ｍａｓｓ）１４などの、フライホイール２における重力の効果を際立たせる要素が有益であろう。
【００１５】
ハンドル７に与えられるパルスの方向を検出するためのシステムは、加速度計に加えて、１つ以上の送信器５及びセンサ４を用いてフライホイール２の回転の大きさ及び方向を測定するマイクロコントローラを含む。この検出システムを支持する電気回路は、図８及び図９に図示される。
【符号の説明】
【００１６】
１  角加速度計
２  フライホイール
３  平衡戻し手段
４  センサ
５  送信器
６  マイクロコントローラ
７  ハンドル
８  回転部
９  回転ブロワブラシ
１０  カーラー巻き器
１１  磁気接触子
１２  磁気接触子
１３  角加速度計を起動するためのスイッチ
１４  偏心マス
【図１】
0003204943.tif 000003
【図２】
0003204943.tif 000004
【図３】
0003204943.tif 000005
【図４】
0003204943.tif 000006
【図５】
0003204943.tif 000007
【図６】
0003204943.tif 000008
【図７】
0003204943.tif 000009
【図８】
0003204943.tif 000010
【図９】
0003204943.tif 000011